(57)【要約】【課題】背負い鞄の背負い面部に設けた外套収納部内に外套を一体的に出し入れ自在に備え、この外套使用時に背負い鞄の体裁が損なわれず、また、外套を着用した際にこの外套で背負い鞄の肩掛け紐を覆うことができる外套付き背負い鞄を提供する。【解決手段】背負い鞄１の背負い面部３を内側背負い面３Ａと外側背負い面３Ｂとの二重構造にすると共にこれらを中央部で連結し、この二面が連結される背負い面重合連結部６を囲うように形成されるドーナツ状の空間部を外套収納部４とし、この外套収納部４の外周部に周方向の全周に亘って開閉自在な全周出入口部５を設け、この全周出入口部５を通じて全周方向に引き出し自在に収納可能に外套２の後身頃部２Ｃを外套収納部４内の内側背負い面３Ａ若しくは外側背負い面３Ｂの一方に連結する。【選択図】図２
2020069067.tif 000002
【特許請求の範囲】
【請求項１】
背負い鞄にウインドブレーカー若しくはレインコート又は安全服の外套が一体的に設けられている外套付き背負い鞄において、前記背負い鞄は、使用者が背負った際にこの使用者の背中と接する背負い面部が内側背負い面と外側背負い面とが中央部で連結された二重構造とされていると共に、この背負い面部に前記外套が出し入れ自在に収納される外套収納部が設けられていて、この外套収納部は、前記内側背負い面と前記外側背負い面との間に形成され、前記背負い面部の周縁に沿ってドーナツ状に形成されていると共に、外周部に周方向の全周に亘って開閉自在な全周出入口部が設けられていて、前記外套は、一体的に形成されている左前身頃部、右前身頃部、後身頃部及び両袖部を有し、前記後身頃部が前記内側背負い面若しくは前記外側背負い面の一方に連結されていることを特徴とする外套付き背負い鞄。
【請求項２】
前記外套収納部は、前記内側背負い面と前記外側背負い面の夫々の中央部分同士が面連結されている背負い面重合連結部を囲うように形成される前記内側背負い面と前記外側背負い面との間の空間部からなることを特徴とする請求項１記載の外套付き背負い鞄。
【請求項３】
前記外套は、分離自在に結合する一対の結合部材で構成される結合手段を介して前記外套収納部内の前記内側背負い面若しくは前記外側背負い面に着脱自在に連結されていることを特徴とする請求項１，２のいずれか１項に記載の外套付き背負い鞄。
【請求項４】
前記外套は、後身頃部に前記内側背負い面と前記外側背負い面の夫々の中央部分同士が面連結されている背負い面重合連結部よりも大形な開口部が形成されていて、前記結合手段の一方の結合部材は、前記開口部の開口縁に沿って設けられ、他方の結合部材は、前記内側背負い面若しくは前記外側背負い面の前記背負い面重合連結部の外側で且つ前記全周出入口部の内側に設けられていることを特徴とする請求項３記載の外套付き背負い鞄。
【請求項５】
前記結合手段は、スライドファスナーであることを特徴とする請求項３，４のいずれか１項に記載の外套付き背負い鞄。
【請求項６】
前記全周出入口部は、全周に亘ってスライドファスナーが設けられていて、このスライドファスナーの開閉操作により開閉自在に構成されていることを特徴とする請求項１〜５のいずれか１項に記載の外套付き背負い鞄。
【請求項７】
背負った際に使用者の背中に接する前記外側背負い面に肩ベルト部が設けられていて、使用者が背負った状態で前記外套を着用した際に前記肩ベルト部が前記外套で覆われるように構成されていることを特徴とする請求項１〜６のいずれか１項に記載の外套付き背負い鞄。
【請求項８】
前記外套は、自転車、オートバイ等の二輪車を運転する人が雨若しくは風の影響を軽減するために着用するのに適した素材で形成されていることを特徴とする請求項１〜７のいずれか１項に記載の外套付き背負い鞄。
【発明の詳細な説明】
【技術分野】
【０００１】
本発明は、バックパック（リュックサック）、ランドセル等の背負い鞄にウインドブレーカー、レインコート、安全服等の外套が一体的に設けられている外套付き背負い鞄に関するものである。
【背景技術】
【０００２】
急な雨降りや気温が低下した際にとっさに対応できるよう、出かける際にはコンパクトに収納でき容易に携帯可能なウインドブレーカーやレインコート等の外套を鞄に入れ携帯すると良いが、つい忘れがちになってしまうことが多い。このような外套の携帯忘れを防止することを目的として、従来、バックパック等の背負い鞄にウインドブレーカーやレインコート等の外套を一体的に装備した外套付き背負い鞄が提案されている。
【０００３】
この種の外套付き背負い鞄として、例えばリュックサックの天頂部に設けた収納部にシート状の雨合羽を着脱自在に収納したもの（特許文献１）、リュックサックの左右両側にウインドブレーカー等の上着の袖の部分と前身頃の脇の部分を縫合し、リュックサックの上位部分に前記上着の帽子部分を縫合すると共に、リュックサックの左右側面と上位部分の夫々にこれらを収納するための収納部を設けたもの（特許文献２）、リュックサックの背負面にファスナーによって蓋布が開放可能な背ポケットを形成すると共に、この背ポッケトの背面部に合羽の背面部を縫着または融着してこの合羽を背ポケット内に折り畳み収納自在に設けたもの（特許文献３）等が知られている。
【先行技術文献】
【特許文献】
【０００４】
【特許文献１】実用新案登録第３１２２１２８号公報
【特許文献２】特開２０１２−２３９８５７号公報
【特許文献３】実開昭６３−１１２８２５号公報
【発明の概要】
【発明が解決しようとする課題】
【０００５】
しかしながら、例えば特許文献１のようにリュックサックの上から雨合羽を着用するように構成されたものは、着用時に体裁が悪くなるうえに動きにくくなる欠点がある。
【０００６】
また、特許文献２のように、上着を分割して夫々の収納部に設けたものは、着用状態において隙間が生じて雨などが浸入してくる可能性があると共に、体の背面側を保護することができない問題が生じる。
【０００７】
したがって、雨具やウインドブレーカー等の外套は、特許文献３のように鞄本体の背負い面側に設けることが好ましいが、特許文献３のような収納構造にした場合、背ポケット（収納部）を開口すると蓋布が下方に垂れ下がり体裁を損ねてしまうため、特許文献３のように、この垂れ下がった蓋布を収納し良好な体裁を保つための収納部が必要になり、コストが掛かってしまうだけでなく、使用時は、外套の出し入れ以外にこの布蓋の出し入れ作業を要し、使い勝手の面でも難がある。
【０００８】
また、近年は防水性を有するリュックサックも多く提供されているが、このような防水バッグでも肩掛け紐（肩ベルト）は防水性になっていないものが多く、特許文献２，３のように合羽を着用した際に肩掛け紐が露出してしまう場合、降雨時は肩掛け紐が濡れてしまい、雨具をしまった状態でリュックサックを背負った場合、濡れた肩掛け紐で衣服が濡れてしまうおそれがある。
【０００９】
本発明は、このような従来の外套付き背負い鞄の現状に鑑みなされたもので、使用者の上半身全体を覆うことができる外套を背負い鞄の背負い面部に設けた外套収納部内に一体的に出し入れ自在に備え、この外套を使用するために外套収納部の開口部を全開状態にしても体裁を損ねることがなく、更に、外套を着用した際にこの外套で背負い鞄の肩掛け紐を覆い肩掛け紐が雨や雪で濡れてしまうことを防止することができる外套付き背負い鞄を提供することを目的とする。
【課題を解決するための手段】
【００１０】
添付図面を参照して本発明の要旨を説明する。
【００１１】
背負い鞄１にウインドブレーカー若しくはレインコート又は安全服の外套２が一体的に設けられている外套付き背負い鞄において、前記背負い鞄１は、使用者が背負った際にこの使用者の背中と接する背負い面部３が内側背負い面３Ａと外側背負い面３Ｂとが中央部で連結された二重構造とされていると共に、この背負い面部３に前記外套２が出し入れ自在に収納される外套収納部４が設けられていて、この外套収納部４は、前記内側背負い面３Ａと前記外側背負い面３Ｂとの間に形成され、前記背負い面部３の周縁に沿ってドーナツ状に形成されていると共に、外周部に周方向の全周に亘って開閉自在な全周出入口部５が設けられていて、前記外套２は、一体的に形成されている左前身頃部２Ａ、右前身頃部２Ｂ、後身頃部２Ｃ及び両袖部２Ｄを有し、前記後身頃部２Ｃが前記内側背負い面３Ａ若しくは前記外側背負い面３Ｂの一方に連結されていることを特徴とする外套付き背負い鞄に係るものである。
【００１２】
また、前記外套収納部４は、前記内側背負い面３Ａと前記外側背負い面３Ｂの夫々の中央部分同士が面連結されている背負い面重合連結部６を囲うように形成される前記内側背負い面３Ａと前記外側背負い面３Ｂとの間の空間部からなることを特徴とする請求項１記載の外套付き背負い鞄に係るものである。
【００１３】
また、前記外套２は、分離自在に結合する一対の結合部材で構成される結合手段７を介して前記外套収納部４内の前記内側背負い面３Ａ若しくは前記外側背負い面３Ｂに着脱自在に連結されていることを特徴とする請求項１，２のいずれか１項に記載の外套付き背負い鞄に係るものである。
【００１４】
また、前記外套２は、後身頃部２Ｃに前記内側背負い面３Ａと前記外側背負い面３Ｂの夫々の中央部分同士が面連結されている背負い面重合連結部６よりも大形な開口部８が形成されていて、前記結合手段７の一方の結合部材は、前記開口部８の開口縁に沿って設けられ、他方の結合部材は、前記内側背負い面３Ａ若しくは前記外側背負い面３Ｂの前記背負い面重合連結部６の外側で且つ前記全周出入口部５の内側に設けられていることを特徴とする請求項３記載の外套付き背負い鞄に係るものである。
【００１５】
また、前記結合手段７は、スライドファスナー７であることを特徴とする請求項３，４のいずれか１項に記載の外套付き背負い鞄に係るものである。
【００１６】
また、前記全周出入口部５は、全周に亘ってスライドファスナー10が設けられていて、このスライドファスナー10の開閉操作により開閉自在に構成されていることを特徴とする請求項１〜５のいずれか１項に記載の外套付き背負い鞄に係るものである。
【００１７】
また、背負った際に使用者の背中に接する前記外側背負い面３Ｂに肩ベルト部９が設けられていて、使用者が背負った状態で前記外套２を着用した際に前記肩ベルト部９が前記外套２で覆われるように構成されていることを特徴とする請求項１〜６のいずれか１項に記載の外套付き背負い鞄に係るものである。
【００１８】
また、前記外套２は、自転車、オートバイ等の二輪車を運転する人が雨若しくは風の影響を軽減するために着用するのに適した素材で形成されていることを特徴とする請求項１〜７のいずれか１項に記載の外套付き背負い鞄に係るものである。
【発明の効果】
【００１９】
本発明は上述のように構成したから、左前身頃部、右前身頃及、後身頃部及び及袖部が一体的に形成される一般的に市販されているようなウインドブレーカーやレインコート等の使用者の上半身全体を覆うことができる外套を背負い鞄の背負い面部に設けた外套収納部内に一体的に出し入れ自在に備え、この外套を使用するために外套収納部の全周出入口部を全開状態にしても外套収納部の一部が垂れ下がり状態になる等の体裁を損ねることがなく、しかも、外套を着用した際にこの外套が背負い鞄の肩ベルト部を覆い雨等でこの肩ベルト部が濡れてしまうことを防止することができる実用性に優れた外套付き背負い鞄となる。
【図面の簡単な説明】
【００２０】
【図１】本実施例の背負い面部側（全周出入口部閉口状態）を示す説明図である。
【図２】本実施例の背負い面部側（全周出入口部開口状態）を示す説明図である。
【図３】本実施例の背負い面部側の説明断面図である。
【図４】本実施例の背負い鞄の背負い面部側（全周出入口部開口状態）を示す説明斜視図である。
【図５】本実施例を示す説明分解図である。
【図６】本実施例の外套を外套収納部から出し広げた状態を示す説明図である。
【図７】本実施例の外套を外套収納部内に収納した状態を示す説明図である。
【図８】本実施例の使用状態（外套着用状態）を示す説明図である。
【発明を実施するための形態】
【００２１】
好適と考える本発明の実施形態を、図面に基づいて本発明の作用を示して簡単に説明する。
【００２２】
本発明は、外套２を収納する外套収納部４が連続するドーナツ状（環状）に形成されていて、例えば、図示するように、外套２の肩部や首周り部等の外套上部を折り畳んだ若しくはクルクルと丸めた収納状態にして外套収納部４の上側の上側外套収納部４Ａに収納し、同様に、外套２の左前身頃部２Ａ、後身頃部２Ｃの左側部及び左袖部２Ｄ等の外套左部を外套収納部４の左側の左側外套収納部４Ｂに収納し、外套２の右前身頃部２Ｂ、後身頃部２Ｃの右側部及び右袖部２Ｄ等の外套右部を外套収納部４の右側の右側外套収納部４Ｃに収納し、左前身頃部２Ａ、右前身頃部２Ｂ及び後身頃部２Ｃの夫々の下部側の外套下部を外套収納部４の下側の下側外套収納部４Ｄに収納することで、この外套２を外套収納部４内にバランスよく収納することができる。
【００２３】
また、外套２を外套収納部４内に収納した状態では、この外套２がクッション材になり、例えば、背負い鞄１の収納部内に硬いものや角があるものを収納した場合でも、これらが使用者の背中に直接的に当たることを防止し、背中が痛くなることを防止したり不快感を与えることを低減することができる。
【００２４】
また、この外套収納部４内に収納されている外套２を出す際は、外套収納部４の外周部にぐるりと一周するように設けられている全周出入口部５を全開口状態にし、収納されている外套２を外側に引き出して着用する。
【００２５】
この際、本実施例は、外套収納部４を形成している内側背負い面３Ａと外側背負い面３Ｂとが中央部で連結されているから、全周出入口部５を全開口状態にしても、即ち内側背負い面３Ａと外側背負い面３Ｂの外周部同士を分離させても、内側背負い面３Ａに対する外側背負い面３Ｂの重ね合わせ状態が保持され、内側背負い面３Ａに対して外側背負い面３Ｂが垂れ下がるなどの体裁を損ねる状態になることがない。よって、従来例のように別途収納部を追加形成する必要がなく、コストも掛からない。
【００２６】
また、本発明は、外套２を外套収納部４から引き出し広げた際、外套２の後身頃部２Ｃの内側に背負い面部３（具体的には、背負い面部３の外側背負い面３Ｂ）が露出した状態で配されることになり、よって、肩ベルト部９をこの外側背負い面３Ｂに設ければ、使用者が外套２を着用した際に使用者の上半身と共に肩ベルト部９も外套２で覆われることになり、これにより、肩ベルト部９が外部に露出して雨や雪等で濡れることが防止される。
【実施例】
【００２７】
本発明の具体的な実施例について図面に基づいて説明する。
【００２８】
本実施例は、背負い鞄１にウインドブレーカー若しくはレインコート又は安全服の外套２が一体的に設けられている外套付き背負い鞄であり、具体的には、背負い鞄１は、使用者が背負った際にこの使用者の背中と接する背負い面部３が内側背負い面３Ａと外側背負い面３Ｂとが中央部で連結された二重構造とされていると共に、この背負い面部３に前記外套２が出し入れ自在に収納される外套収納部４が設けられていて、この外套収納部４は、前記内側背負い面３Ａと前記外側背負い面３Ｂとの間に形成され、前記背負い面部３の周縁に沿ってドーナツ状に形成されていると共に、外周部に周方向の全周に亘って開閉自在な全周出入口部５が設けられていて、前記外套２は、一体的に形成されている左前身頃部２Ａ、右前身頃部２Ｂ、後身頃部２Ｃ及び両袖部２Ｄを有し、前記後身頃部２Ｃが前記内側背負い面３Ａ若しくは前記外側背負い面３Ｂの一方に連結されている。
【００２９】
以下、本実施例に係る構成各部について詳述する。
【００３０】
本実施例の背負い鞄１は、図示するようにバックパックに構成されていて、荷物を収納する収納部は従来の一般的なバックパックと同様の構成とされている。
【００３１】
また、本実施例の背負い鞄１は、背負い面部３が、収納部の内面となる内側背負い面３Ａと、この内側背負い面３Ａと重なり合うようにして設けられ使用時は使用者の背中に接する面となる外側背負い面３Ｂとの二面で形成される二重構造になっている。
【００３２】
具体的には、内側背負い面３Ａと外側背負い面３Ｂは、夫々の中央部同士が相互に連結されていると共に、夫々の外周部が分離自在に連結されている。
【００３３】
より具体的には、中央部同士が相互に連結されている背負い面重合連結部６は、背負い面部３の１／４〜１／３程度の領域を占め、縫着や融着により強固に連結されている。
【００３４】
また、内側背負い面３Ａと外側背負い面３Ｂの外周部は、スライドファスナー10を介して相互に分離自在に連結されていて、具体的には、図示するように、スライドファスナー10は、開具が設けられている一側端部と上止が設けられている他側端部とがオーバーラップするようにして背負い面部３の外周部の全周に亘ってぐるりと一周するように設けられている。
【００３５】
本実施例は、この内側背負い面３Ａと外側背負い面３Ｂが連結される背負い面重合連結部６を囲うように形成されるドーナツ状（環状）の空間部を外套２が収納される外套収納部４とし、このスライドファスナー10を介して分離自在に連結される背負い面部３の外周部をこの外套収納部４の全周出入口部５としている。
【００３６】
即ち、言い換えると、本実施例の外套収納部４は、背負い鞄１の背負い面部３を形成する中央部が相互に連結される内側背負い面３Ａと外側背負い面３Ｂとの間の背負い面重合連結部６の周囲に形成されるドーナツ状の空間部からなり、外周部の全周に亘ってぐるりと一周開口する開閉自在な全周出入口部５を備える構成となっていて、全周出入口部５を全開口状態にしても背負い面重合連結部６で内側背負い面３Ａと外側背負い面３Ｂとが連結されているから、内側背負い面３Ａと外側背負い面３Ｂとが分離せず、内側背負い面３Ａと外側背負い面３Ｂとの重なり状態が保持されることとなり、よって、全周出入口部５を全開口状態にした際に、内側背負い面３Ａに対して外側背負い面３Ｂが垂れ下がる等の体裁を損ねてしまうような状態になることがない構成とされている。
【００３７】
また、上述した外套収納部４に出し入れ自在に収納されると共に背負い鞄１に一体的に設けられる本実施例の外套２は、前述の通り、一体的に形成されている左前身頃部２Ａ、右前身頃部２Ｂ、後身頃部２Ｃ及び両袖部２Ｄを有し、後身頃部２Ｃが背負い鞄１の背負い面部３の内側背負い面３Ａ若しくは外側背負い面３Ｂの一方に連結されている。
【００３８】
具体的には、本実施例の外套２は、防水性を有するウインドブレーカーに構成されていて、より具体的には、本実施例の外套２は、自転車、オートバイ等の二輪車を運転する人が雨若しくは風の影響を軽減するために着用するのに適するように、着用した際に動き易く運転操作に支障をきたさないような軽くて柔らかい素材で形成されている。
【００３９】
また、本実施例の外套２は、汚れた際に洗濯することができるように、また、雨等で濡れた際にハンガーにかけて乾かせるように、背負い鞄１から取り外すことができるように、背負い鞄１に対して着脱自在に設けられている。
【００４０】
具体的には、分離自在に結合する一対の結合部材で構成される結合手段７を介して背負い鞄１の外套収納部４を形成している内側背負い面３Ａに着脱自在に連結されていて、本実施例においては、結合手段７としてスライドファスナー７を用いて着脱自在に連結される構成とされている。
【００４１】
より具体的には、本実施例の外套２は、図示するように、後身頃部２Ｃに内側背負い面３Ａと外側背負い面３Ｂの夫々の中央部分同士が相互に面連結されている背負い面重合連結部６よりも大形な開口部８が形成されていて、この開口部８で背負い面重合連結部６を回避するようにして背負い面部３、具体的には、背負い面部３の内側背負い面３Ａ側に着脱自在に連結される構成とされている。
【００４２】
更に詳細に説明すると、スライドファスナー７の一方のファスナー部材は、この外套２の後身頃部２Ｃに形成される開口部８の開口縁に沿って設けられている。
【００４３】
また、スライドファスナー７のもう一方のファスナー部材は、背負い鞄１の背負い面部３に設けられた外套収納部４内にして内側背負い面３Ａと外側背負い面３Ｂとが連結された背負い面重合連結部６の外側で且つ全周出入口部５の内側に設けられていて、具体的には、この外套２が連結される背負い面部３の内側背負い面３Ａの外周部に設けられたスライドファスナー10に沿設するようにしてこのスライドファスナー10の内側に設けられている。
【００４４】
即ち、本実施例は、外套２を開口部８により背負い面重合連結部６との重なりを回避して後身頃部２Ｃをスライドファスナー７により内側背負い面３Ａに連結することで、この外套２が背負い鞄１の外套収納部４内に着脱自在に一体的に設けられると共に、外套収納部４から引き出し広げた状態（使用状態）にすると、後身頃部２Ｃの内側に外側背負い面３Ｂが露出した状態になり、使用者が背負い鞄１を背負った際に、この外側背負い面３Ｂが使用者の背中に直接接し、外套２（後身頃部２Ｃ）の内側に配され外套２で覆われた状態となるように構成されている。
【００４５】
また、本実施例は、肩ベルト部９を背負い鞄１の背負い面部３、具体的には、背負い面部３の外側背負い面３Ｂに設けた構成とされている。
【００４６】
即ち、本実施例は、この肩ベルト部９を外側背負い面３Ｂに設けることで、外側背負い面３Ｂと共にこの肩ベルト部９も外套２の内側に配されるように構成し、使用者が外套２を着用した際に、この外側背負い面３Ｂと共にこの肩ベルト部９も外套２で覆われるように構成され、この外套２で肩ベルト部９が雨や雪によって濡れてしまうことを防止するように構成されている。
【００４７】
尚、本実施例は、本発明の外套付き背負い鞄を、背負い鞄１をバックパックに構成し、外套２をウインドブレーカーに構成したウインドブレーカー付きバックパックとしたが、外套２をレインコートとしても良く、また、例えば背負い鞄１をランドセルに構成し、外套２を安全服（例えば、黄色や緑色等の目立つ色の上着や反射テープ等の安全部材が付設されている上着等）に構成して安全服付きランドセルとしても良い。
【００４８】
また、本実施例は、外套２を背負い鞄１に着脱自在に連結する結合手段７としてスライドファスナー７を用いたが、例えば、面ファスナー、ボタン、スナップホック等の結合手段を用いても良い。
【００４９】
以上のように構成される本実施例の作用効果について以下に説明する。
【００５０】
本実施例は、背負い鞄１の背負い面部３に設けられた外套収納部４内に外套２が着脱自在に一体的に設けられているから、外套２を携帯し忘れることが可及的に防止される。
【００５１】
また、本実施例は、外套収納部４内に外套２を収納した状態では、この外套収納部４内に折り畳み若しくはクルクルと丸めて収納された外套２がクッション材の効果を発揮し、背負い面部３にドーナツ状のクッション部が形成されたようになり、背負った際に使用者の背中への背負い鞄１の当たりが緩和され、長時間背負っても背中が痛くならない。
【００５２】
また、本実施例は、外套２を使用する際は、全周出入口部５の外周に設けられたスライドファスナー７をぐるりと一周操作して全周出入口部５を全開口状態にして外套収納部４に収納される外套２を出し広げ、背負い鞄１を背負ってからこの出し広げた外套２を着用するだけなので、着用時に操作が簡易であり、しかも、図示するように、肩ベルト部９が外套２に覆われた状態になるから、肩ベルト部９が雨等で濡れる心配がなく、外套２を脱いだ後も、濡れた肩ベルト部９で衣服を濡らすことがない。
【００５３】
しかも、前述の通り、肩ベルト部９が外套２の後身頃部２Ｃの内側に配される外側背負い面３Ｂに設けられているから、背負い鞄１を背負った状態のままでも外套収納部４から外套２を出してこの外套２を着用することができる。
【００５４】
また、本実施例は、図示するように、全周出入口部５を全開口状態にして内側背負い面３Ａと外側背負い面３Ｂとの外周部の連結を分離しても、内側背負い面３Ａと外側背負い面３Ｂとは相互に背負い面重合連結部６で連結されているから、内側背負い面３Ａと外側背負い面３Ｂとは重なり状態を保持し、体裁の良い状態が保持される。
【００５５】
また、本実施例は、外套２を着脱自在に設けたから、汚れた際に簡易に取り外して洗濯することができ、また、雨等で濡れた際にも取り外してハンガーにかけて乾かすことができ、更に、使用目的に合わせて外套２の種類、色、サイズ等を容易に変更することも可能となる。
【００５６】
このように、本実施例は、左前身頃部２Ａ、右前身頃部２Ｂ、後身頃部２Ｃ及び両袖部２Ｄが一体的に形成される一般的に市販されているようなウインドブレーカーやレインコート等の使用者の上半身全体を覆うことができる外套２を背負い鞄１の背負い面部３に設けた外套収納部４内に一体的に出し入れ自在に備え、この外套２を使用するために外套収納部４の全周出入口部５を全開状態にしても外套収納部４の一部が垂れ下がり状態になる等の体裁を損ねることがなく、しかも、外套２を着用した際にこの外套２が背負い鞄１の肩ベルト部９を覆い、雨等でこの肩ベルト部９が濡れてしまうことを防止することができる実用性に優れた画期的な外套付き背負い鞄となる。
【００５７】
尚、本発明は、本実施例に限られるものではなく、各構成要件の具体的構成は適宜設計し得るものである。
【符号の説明】
【００５８】
１  背負い鞄
２  外套
２Ａ  左前身頃部
２Ｂ  右前身頃部
２Ｃ  後身頃部
２Ｄ  袖部
３  背負い面部
３Ａ  内側背負い面
３Ｂ  外側背負い面
４  外套収納部
５  全周出入口部
６  背負い面重合連結部
７  結合手段，スライドファスナー
８  開口部
９  肩ベルト部
10  スライドファスナー
【図１】
2020069067.tif 000003
【図２】
2020069067.tif 000004
【図３】
2020069067.tif 000005
【図４】
2020069067.tif 000006
【図５】
2020069067.tif 000007
【図６】
2020069067.tif 000008
【図７】
2020069067.tif 000009
【図８】
2020069067.tif 000010